(57)【特許請求の範囲】
【請求項１】
背板とこの背板の周縁を囲む枠部とで前面に開口を有する箱形に形成され前記枠部に電線挿通孔および取付け穴を有しかつ前記背板に手指を挿入できる背面側開口を有する器具本体と、この器具本体内の前記枠部の内面に前記取付け穴を補強し前記電線挿通孔を避ける上面板部を有するとともに前記背板を補強し前記背面側開口を避ける背面板部を前記上面板部と一体に有する金属製の補強板と、前記開口を閉じるように配置された表示パネルと、前記器具本体に設けられて前記表示パネルを光らせる光源と、前記背面板部に取付けられて前記光源を点灯する点灯ブロックと、前記背面板部に取付けられて前記点灯ブロックに接続されるコネクタ部を有する電池ボックスと、前記背面板部に取付けられて前記点灯ブロックに接続される差し込み端子を有するとともに前記補強板にアース接続するアース片を有する端子台と、前記背板の外側で前記背面側開口を閉じる部材とを備え、
前記器具本体は前記背板の背面側開口の周縁部に突条部を形成し、
前記補強板の前記上面板部は前記取付け穴に整合する孔を有するとともに、前記背面板部が前記突条部に係合する連通開口を有し、
前記点灯ブロックは電池用端子および受け端子を有し、
前記電池ボックスは、前記点灯ブロックが前記補強板の前記背面板部に取付けられた状態で前記電池ボックスが前記補強板の前記背面板部に固定されることにより前記コネクタ部が前記電池用端子に接触し、
前記端子台は、速結端子を内蔵するとともに、前記端子台が前記補強板の前記背面板部に固定されることにより、前記差し込み端子が前記受け端子に接触し前記アース片が前記補強板に接触し、前記アース片は前記速結端子のうちのアース用速結端子に接続されている表示用照明器具。
【発明の詳細な説明】
【技術分野】
【０００１】
この発明は、誘導灯などの表示用照明器具に関するものである。
【背景技術】
【０００２】
従来例（例えば特許文献１参照）の誘導灯を図５から図７に示す。１５０は箱形の器具本体、１５１、１６１はランプホルダ、１５２、１６２は表示ユニット、１５３は点灯ブロック、１５４は蓄電池を内蔵する電池ボックス、１５５は点検ブロック、１５６は端子台、１５７はランプソケットである。
【０００３】
上記の誘導灯は、点灯ブロック１５３が図７に示すように類焼防止のための金属ケース１６３、１６４で上下覆われ、器具本体１５０の背板には端子台１５６およびアース端子１６９を取り付けるための金具１６６を設け、また器具本体１５０の枠部は、天井に取付けるための取り付け部１６７を有し、取付け部１６７には取り付けの際の補強となる天井面補強金具１６８が設けられている。１７７は取り付け部１６７に設けた電線挿通孔である。
【０００４】
また、器具本体１５０の背板のアース端子は電線により点灯ブロック１５３の金属ケース１６３と導通が取られ、点灯ブロック１５３のプリント基板と金属ケース１６３を電線で接続することにより、点灯ブロック１５３のプリント基板もアースをとっている。
【特許文献１】特開２００２−２５３１３号公報
【発明の開示】
【発明が解決しようとする課題】
【０００５】
しかしながら、この従来例の誘導灯は、器具が薄いため、電線挿通孔１７７に電線を通し端子台１５６と接続しながら取付部１６７を天井に取付けたり、内部部品を組み込む器具取り付けの施工性が悪かった。
【０００６】
また、器具本体１５０の背板の金具、天井面の補強金具１６８、および点灯ブロック１５３の下側の金属ケース１６４が別体で複数の板に分かれていたため部品点数が多く、組立性も悪かった。
【０００７】
さらに、アース端子１６９と点灯ブロック１５３の金属ケース１６３および点灯ブロック１５３のプリント基板とは電線で接続されていたため、組立性が悪くコストもかかっていた。      
【０００８】
したがって、この発明の目的は、上記の問題点の解決し、施工性を向上させ組立性に優れた表示用照明器具を提供することである。
【課題を解決するための手段】
【０００９】
この発明の表示用照明器具は、器具本体が背板とこの背板の周縁を囲む枠部とで前面に開口を有する箱形に形成され、前記枠部に電線挿通孔および取付け穴を有し、かつ前記背板に手指を挿入できる背面側開口を有する。補強板は金属製であり、この器具本体内の前記枠部の内面に前記取付け穴を補強し前記電線挿通孔を避ける上面板部を有するとともに、前記背板を補強し前記背面側開口を避ける背面板部を前記上面板部と一体に有する。表示パネルは前記開口を閉じるように配置されている。光源は前記器具本体に設けられて前記表示パネルを光らせる。点灯ブロックは前記背面板部に取付けられて前記光源を点灯する。電池ボックスは前記背面板部に取付けられて前記点灯ブロックに接続されるコネクタ部を有する。端子台は、前記背面板部に取付けられて前記点灯ブロックに接続される差し込み端子を有するとともに、前記補強板にアース接続するアース片を有する。部材は前記背板の外側で前記背面側開口を閉じる。前記器具本体は前記背板の背面側開口の周縁部に突条部を形成する。前記補強板の前記上面板部は前記取付け穴に整合する孔を有するとともに、前記背面板部は前記突条部に係合する連通開口を有する。前記点灯ブロックは電池用端子および受け端子を有する。前記電池ボックスは、前記点灯ブロックが前記補強板の前記背面板部に取付けられた状態で前記電池ボックスが前記補強板の前記背面板部に固定されることにより前記コネクタ部が前記電池用端子に接触する。前記端子台は、速結端子を内蔵するとともに、前記端子台が前記補強板の前記背面板部に固定されることにより、前記差し込み端子が前記受け端子に接触し前記アース片が前記補強板に接触し、前記アース片は前記速結端子のうちのアース用速結端子に接続されている。
【発明の効果】
【００１０】
この発明の表示用照明器具によれば、箱形の器具本体が前面開口のほか背面に手指を挿入できる開口を設けることにより、端子台への電線の接続や器具本体の天井等への取付けなど器具取付の際の施工性を向上することができる。また、補強板により、従来の点灯ブロックの背板側の金属ケース、端子台・アース端子取付金具および天井面補強金具を一体にすることにより、部品点数を削減し、組立性を向上することができ施工性を良好にできるとともに、器具本体の背面開口に伴う器具本体の剛性の低下を補う役割をすることができ、かつ背面開口分の材料の削減が図れる。
【００１１】
電池ボックスが補強板の背面板部に固定されることによりコネクタ部が点灯ブロックの電池用端子に接触し、端子台が補強板の背面板部に固定されることにより差し込み端子が点灯ブロックの受け端子に接触しかつアース片が補強板に接触するため、端子台および電池ボックスと点灯ブロックとの電気的接続、および端子台と補強板とのアース接続を直接接続でき、電気接続のための電線類を削減することができ、組立施工性がさらに良好になる。
【発明を実施するための最良の形態】
【００１２】
この発明の一実施の形態の表示用照明器具、例えば両面型の誘導灯を図１から図４により説明する。すなわち、この誘導灯は、器具本体１と、ランプホルダ２、３０と、点灯ブロック３と、電池ボックス４と、端子台５と、表示ユニット６、３１、補強板３２を有する。
【００１３】
器具本体１は、前面に開口１ｆを形成した直方体状の箱形とくに薄箱形であり、開口１ｆの奥側となる背板１ａと、枠部を構成する側板１ｂ、１ｃ、下板１ｄ、上板１ｅからなる。枠部の背板１ａ側の縁部は背板１ａよりも外方に突出した突出部６０を有している。背板１ａの側板１ｂの下端寄りに電池ボックス固定用爪を用いた係止片１４を立設状態に設け、上部に手指を挿入するための背面側開口１ｇを形成し、その周縁部にリブとなる突条部４７を形成している。下板１ｄには複数の点検関連用の穴９が設けられている。上板１ｅには天井取付けの際に使用する電線挿通孔１０および取付部として取付け穴１１が設けられている。側板１ｂ、１ｃには各上端部にランプホルダ２を支持するランプソケット１２が設けられ、ランプソケット１２は両端にランプ装着部１２ａを形成し、背面側のランプ装着部１２ａに対向する背板１ａにランプホルダ３０の接続端子２２を挿通するための穴を開けている。また側板１ｂ、１ｃの中間部に表示ユニット６の引っ掛け部６ａを引っ掛けて取付けるための係止部１３を開口縁および背板１ａより外方に突出した突出部６０に設けている。
【００１４】
補強板３２は金属製であり、枠部の上板１ｅの内面に取付け穴１１を補強する上面板部４０を有するとともに、背板１ａを補強する背面板部４１を上面板部４０と一体に有する。さらに背面板部４１の上面板部４０と反対側に下板１ｄに当接する下面板部４４を形成するとともに背面板部４１の側部に連結片４５を設け、連結片４５に係止部となる例えば孔４６を形成している。上面板部４０には電線挿通孔１０に整合する孔４２、および取付け穴１１に整合する孔４３を形成している。背面板部４１には背面側開口１ｇに整合し、縁部が突条部４７の外周面に係合する連通開口４８を形成し、アース用穴４９を形成し、さらに係止部１４を突出するための穴部５０を形成している。
【００１５】
ランプホルダ２、３０は、それぞれ光源として冷陰極ランプを用いた直管ランプおよび反射板を保持し、両端に直管ランプの電極に接続された接続端子２２を有し、接続端子２２がランプソケット１２のランプ装着部１２ａに装着される。ランプホルダ２はこれにより器具本体１の開口１ｆの上部分を塞いでいる。
【００１６】
点灯ブロック３は光源となる直管ランプを点灯する点灯回路を内蔵し、その器具本体１の下板１ｄの前面側からみて右寄りの位置の補強板の背面板部４１に取付けられている。点灯ブロック３は、ケースとケース内に配置され点灯部品を含む電子部品が実装されたプリント基板などで構成され、プリント基板は背板１ａに平行に配置されている。電子部品には点検スイッチ８５、ランプモニタ８７などが含まれ、これらが器具本体１の下板１ｄの点検関連用孔９に対向している。ランプモニタ８７は、直管ランプの寿命をカウントするタイマの設定時間が経過するとランプ寿命を知らせるため点灯するものである。点検スイッチ８５は、蓄電池で光源を点灯することを確認するためのものである。また電子部品には電池ボックス４に接続する端子および端子台５に接続する受け端子を側部に並設している。電池ボックス４に接続する端子は点灯ブロック３の窪み２８に設けている。
【００１７】
点灯ブロック３の上面は金属製の上ケース５２で覆われている。上ケース５２は、連結片４５に対向する側板５２ａ、側板５２ａと反対側の側板５２ｂ、および上板５２ｃを有し、図４に示すように、側板５２ａに孔４６に係止する爪状の係合部５９を設け、側板５２ｂおよび上板５２ｃの少なくとも一方に係止部となる例えば孔を設け、点灯ブロック３側に係止部に係止する例えば爪状の係合部を設けている。したがって、上ケース５２はこれらの係止部等で点灯ブロック３に固定される。このとき点灯ブロック３と側板５２ａとの間に隙間Ｈが設けられ、係合部５９の係脱動作を確保している。５７はランプ交換したときに点灯ブロック３に設けられたランプ寿命をカウントするタイマをリセットするリセットスイッチである。５８は電池ボックス４のコネクタ部２７をガイドする溝状のガイド部である。
【００１８】
電池ボックス４は、器具本体１内の点灯ブロック３の左側に配置されている。電池ボックス４は蓄電池が内蔵され、コネクタ部２７が点灯ブロック３の窪み２８に設けた端子に直接接続されている。電池ボックス４は器具本体１に設けた係止爪１４と、窪み２８に設けられコネクタ部２７のレバー部２７ａが引っ掛かる引っ掛け部とで固定される。５６はガイドに案内される突部である。
【００１９】
端子台５は電池ボックス４の上側で、背面側開口１ｇおよび連通開口４８の下側、すなわち背面側開口１ｇの電線挿通孔１０および取付け孔１１と反対側において、取付部５ａにより補強板３２の背面板部４１に取付けられ、点灯ブロック３に設けた受け端子２９に端子台５の差し込み端子５ｃが直接接続される。端子台５は速結端子を内蔵し、点灯ブロック３に向けて斜めに開口した電線挿入孔５ｂを有し、さらに速結端子のうちアース用速結端子は補強板３２の背面板部４１に形成されたアース用穴４９の縁部に接触するアース片５ｄを下面より突出している。取付部５ａを背面板部４１にねじ等の連結具により取付けることにより、アース片５ｄがアース用穴４９の縁部に接触しアース接続が同時に達成される。また受け端子２９の一部はプリント基板のアースにも接続され、その受け端子２９に接触する差し込み端子５ｃはアース用速結端子に接続されている。そして器具本体１の電線挿通孔１０および孔４２を通して導入された電源線、送り線およびアース線が端子台５の所定の電線挿入孔５ｂに挿入され接続される。
【００２０】
矩形状の表示パネルとなる表示ユニット６は導光板を有し、引っ掛け部６ａが器具本体１の係止部１３に係止して開口１ｆのランプホルダ２の下側の開口部分を塞いでいる。このとき直管ランプが導光板の端面に対向し、直管ランプの光が導光板の端面に入射し、表示ユニット６を光らせる。すなわち、ランプホルダ２を差し込む前に表示ユニット６を開口１ｆに挿入して係止部１３の上面に当接しスライドすることにより引っ掛け部６ａを係止部１３の裏面側に係合し、ついでランプホルダ２を装着し表示ユニット６を同時に固定する。これにより、直管ランプが導光板の端面に対向する。したがって、表示ユニット６は開口１ｆに取付けられた状態でランプホルダ２を表示面に直交する方向に移動させてランプソケットから外して着脱することができる。
【００２１】
表示ユニット３１も表示ユニット６と同様の構成であり、側板１ｂ、１ｃに設けた係止部に表示ユニット３１の引っ掛け部６ａが引っ掛かる。この表示ユニット３１は開口を塞ぐ部材の役目を兼ねる。
【００２２】
この実施の形態によれば、器具本体１の背面には背面側開口１ｇが設けられているため、器具取り付けの際には手指が背面板部４１に当たることなく、また器具背面側より背面側開口１ｇおよび連通開口４８を通して手指を入れることも出来るので施工性が良くなっている。また補強板３２は点灯ブロック３を支持するとともに背板１ａを補強する背面板部４１、取付け孔１１および電線挿通孔１０を有する上板１ｅを補強する上面板部４０、および下面板部４１を一体に形成しているため、器具本体１の背面に背面側開口１ｇを設けても、背面板部４１の連通開口４８の左右両側がつながっているので、器具本体１の剛性が落ちることなく、器具の剛性を保つことが出来る。
【００２３】
器具本体１の背板１ａの背面側開口１ｇの縁部には補強板３２の連通開口４８の内側に沿うようにリブを用いた突条部４７が設けられ、器具本体１と補強板３２の位置出しの役割をしており、補強板３２が位置決め容易になっている。
【００２４】
さらに、点灯ブロック３のプリント基板とアース端子の付いた端子台５は差し込み端子５ｃと受け端子２９とで直接接続されているが、端子台５と補強板３２は端子台５から出ているアース片５ｄが補強板３２のアース用穴４９に嵌合することにより導通を取っているため、リード線で接続する必要がない。
【００２５】
またともに金属製の上ケース５２と補強板３２は、上ケース５２に設けられている突起５９を用いた係止部が角形などの孔４６を用いた係合部に嵌合することにより導通が取られている。よって両者は電線無しに導通を取ることが出来る。
【００２６】
さらに、上ケース５２と点灯ブロック３との間には隙間Ｈが設けられ、上ケース５２が嵌合する際のばね性を生かすためのスペースとなっているので、着脱がスムースに行える。
【図面の簡単な説明】
【００２７】
【図１】この発明の一実施の形態の表示用照明器具の分解斜視図である。
【図２】表示ユニットを外した状態の器具本体の正面図である。
【図３】器具本体、補強板、点灯ブロック、上ケース、端子台の関係を示す斜視図である。
【図４】上ケースの取付け状態を示す部分断面図である。
【図５】従来例の表示用照明器具の分解斜視図である。
【図６】その表示ユニットを外した状態の器具本体の正面図である。
【図７】上ケースと下ケースと点灯ブロックの関係を示す分解斜視図である。
【符号の説明】
【００２８】
１    器具本体
１ａ    背板
１ｂ、１ｃ  側板、
１ｄ    下板
１ｆ    開口
１ｇ    背面側開口
２    ランプホルダ
３    点灯ブロック
５    端子台
６    表示ユニット
１０    電線挿通孔
１１    取付け孔
３１    表示ユニット
３２    補強板
４０    上面板部
４１    背面板部  
【図１】
0004742814.tif 000002
【図２】
0004742814.tif 000003
【図３】
0004742814.tif 000004
【図４】
0004742814.tif 000005
【図５】
0004742814.tif 000006
【図６】
0004742814.tif 000007
【図７】
0004742814.tif 000008